(57)【特許請求の範囲】
【請求項１】
歯科用インプラントの雌ネジ部に螺合可能な雄ネジ部を先端部に有する第１ピンと、
前記歯科用インプラントの被嵌合部に嵌合可能な嵌合部を先端部に有する第２ピンと、
前記第１ピンおよび前記第２ピンのそれぞれを挿通可能な挿通孔を有する角度補正部材と、
上面、下面、前記上面に位置しており前記角度補正部材の外径よりも大きな内径を有する凹状の載置部、前記載置部の底部から前記下面まで貫通しており前記角度補正部材の前記外径よりも小さな内径を有しているとともに前記第１ピンおよび前記第２ピンのそれぞれを挿通可能な貫通孔、および前記下面から延びている係止部を有するステントと、
前記角度補正部材を前記載置部に固定する固定手段と、を備え、
前記雌ネジ部および前記被嵌合部のそれぞれの中心軸が、前記歯科用インプラントの中心軸上に位置しており、
前記第１ピンおよび前記第２ピンをそれぞれ前記角度補正部材の前記挿通孔に挿通したとき、前記第１ピンおよび前記第２ピンのそれぞれの回転軸が、前記歯科用インプラントの前記中心軸と同一直線上に位置する角度で、前記角度補正部材を前記固定手段によって前記載置部に固定する、歯科用インプラント抜去器具。
【請求項２】
前記角度補正部材の前記角度を、前記歯科用インプラントの前記雌ネジ部に前記雄ネジ部を螺合している前記第１ピンを前記角度補正部材の前記挿通孔に挿通することによって調整する、請求項１に記載の歯科用インプラント抜去器具。
【請求項３】
前記第１ピンおよび前記第２ピンをそれぞれ前記角度補正部材の前記挿通孔に挿通したとき、前記第１ピンおよび前記第２ピンのそれぞれと、前記角度補正部材の前記挿通孔との間の間隔が、０．０５ｍｍ以下である、請求項１または２に記載の歯科用インプラント抜去器具。
【請求項４】
前記歯科用インプラントは、フィクスチャー、アバットメントスクリュー、カバーキャップおよびヒーリングキャップから選ばれる少なくとも１つである、請求項１〜３のいずれかに記載の歯科用インプラント抜去器具。
【請求項５】
前記歯科用インプラントは、フィクスチャーである、請求項１〜３のいずれかに記載の歯科用インプラント抜去器具。
【請求項６】
前記第１ピンは、前記第２ピンよりも低強度である、請求項１〜５のいずれかに記載の歯科用インプラント抜去器具。
【請求項７】
前記第１ピンは、前記雄ネジ部よりも後端部側に位置している円柱状の第１本体部をさらに有し、前記第２ピンは、前記嵌合部よりも後端部側に位置している円柱状の第２本体部をさらに有する、請求項１〜６のいずれかに記載の歯科用インプラント抜去器具。
【請求項８】
前記第１ピンの外径と前記第２ピンの外径とが、同一である、請求項１〜７のいずれかに記載の歯科用インプラント抜去器具。
【請求項９】
前記角度補正部材の高さが、２ｍｍ以上である、請求項１〜８のいずれかに記載の歯科用インプラント抜去器具。
【請求項１０】
前記係止部は、前記貫通孔を挟んで互いに対向するように位置している第１係止部および第２係止部を有し、前記第１係止部および前記第２係止部はいずれも、前記下面の縁部近傍から下方に向かって延びている、請求項１〜９のいずれかに記載の歯科用インプラント抜去器具。
【請求項１１】
前記固定手段は、歯科用レジンである、請求項１〜１０のいずれかに記載の歯科用インプラント抜去器具。
【請求項１２】
前記第１ピンおよび前記第２ピンのそれぞれを回転させるドライバーをさらに備える、請求項１〜１１のいずれかに記載の歯科用インプラント抜去器具。
【発明の詳細な説明】
【技術分野】
【０００１】
本発明は、歯科用インプラント抜去器具に関する。
【背景技術】
【０００２】
従来から、歯科用インプラントとしてのフィクスチャーを上下顎骨の歯槽骨に埋入することによって、咬合機能、発声機能および審美性などを回復させる歯科インプラント埋植手術が行われている（例えば、特許文献１参照）。
【０００３】
ところで、埋入したフィクスチャーを感染症などの理由で歯槽骨から抜去することがある。フィクスチャーの抜去は、通常、アバットメントが嵌合するフィクスチャーの被嵌合部にピンの先端部を嵌合し、ピンを回転させることによって行う。
【０００４】
しかし、ピンを回転させてフィクスチャーを抜去するとき、無理にピンを回転させてフィクスチャーの被嵌合部を変形または破損させたり、フィクスチャーの周囲組織に外力を加えて損傷させることがあった。それゆえ、フィクスチャーなどの歯科用インプラントをスムーズに抜去できる器具が要望されていた。
【先行技術文献】
【特許文献】
【０００５】
【特許文献１】特開２０１０−１８８０６２号公報
【発明の概要】
【発明が解決しようとする課題】
【０００６】
本発明の課題は、歯科用インプラントをスムーズに抜去できる歯科用インプラント抜去器具を提供することである。
【課題を解決するための手段】
【０００７】
本発明者らは、上記課題を解決すべく鋭意研究を重ねた結果、以下の構成からなる解決手段を見出し、本発明を完成するに至った。
（１）歯科用インプラントの雌ネジ部に螺合可能な雄ネジ部を先端部に有する第１ピンと、前記歯科用インプラントの被嵌合部に嵌合可能な嵌合部を先端部に有する第２ピンと、前記第１ピンおよび前記第２ピンのそれぞれを挿通可能な挿通孔を有する角度補正部材と、上面、下面、前記上面に位置しており前記角度補正部材の外径よりも大きな内径を有する凹状の載置部、前記載置部の底部から前記下面まで貫通しており前記角度補正部材の前記外径よりも小さな内径を有しているとともに前記第１ピンおよび前記第２ピンのそれぞれを挿通可能な貫通孔、および前記下面から延びている係止部を有するステントと、前記角度補正部材を前記載置部に固定する固定手段と、を備え、前記雌ネジ部および前記被嵌合部のそれぞれの中心軸が、前記歯科用インプラントの中心軸上に位置しており、前記第１ピンおよび前記第２ピンをそれぞれ前記角度補正部材の前記挿通孔に挿通したとき、前記第１ピンおよび前記第２ピンのそれぞれの回転軸が、前記歯科用インプラントの前記中心軸と同一直線上に位置する角度で、前記角度補正部材を前記固定手段によって前記載置部に固定する、歯科用インプラント抜去器具。
（２）前記角度補正部材の前記角度を、前記歯科用インプラントの前記雌ネジ部に前記雄ネジ部を螺合している前記第１ピンを前記角度補正部材の前記挿通孔に挿通することによって調整する、前記（１）に記載の歯科用インプラント抜去器具。
（３）前記第１ピンおよび前記第２ピンをそれぞれ前記角度補正部材の前記挿通孔に挿通したとき、前記第１ピンおよび前記第２ピンのそれぞれと、前記角度補正部材の前記挿通孔との間の間隔が、０．０５ｍｍ以下である、前記（１）または（２）に記載の歯科用インプラント抜去器具。
（４）前記歯科用インプラントは、フィクスチャー、アバットメントスクリュー、カバーキャップおよびヒーリングキャップから選ばれる少なくとも１つである、前記（１）〜（３）のいずれかに記載の歯科用インプラント抜去器具。
（５）前記歯科用インプラントは、フィクスチャーである、前記（１）〜（３）のいずれかに記載の歯科用インプラント抜去器具。
（６）前記第１ピンは、前記第２ピンよりも低強度である、前記（１）〜（５）のいずれかに記載の歯科用インプラント抜去器具。
（７）前記第１ピンは、前記雄ネジ部よりも後端部側に位置している円柱状の第１本体部をさらに有し、前記第２ピンは、前記嵌合部よりも後端部側に位置している円柱状の第２本体部をさらに有する、前記（１）〜（６）のいずれかに記載の歯科用インプラント抜去器具。
（８）前記第１ピンの外径と前記第２ピンの外径とが、同一である、前記（１）〜（７）のいずれかに記載の歯科用インプラント抜去器具。
（９）前記角度補正部材の高さが、２ｍｍ以上である、前記（１）〜（８）のいずれかに記載の歯科用インプラント抜去器具。
（１０）前記係止部は、前記貫通孔を挟んで互いに対向するように位置している第１係止部および第２係止部を有し、前記第１係止部および前記第２係止部はいずれも、前記下面の縁部近傍から下方に向かって延びている、前記（１）〜（９）のいずれかに記載の歯科用インプラント抜去器具。
（１１）前記固定手段は、歯科用レジンである、前記（１）〜（１０）のいずれかに記載の歯科用インプラント抜去器具。
（１２）前記第１ピンおよび前記第２ピンのそれぞれを回転させるドライバーをさらに備える、前記（１）〜（１１）のいずれかに記載の歯科用インプラント抜去器具。
【発明の効果】
【０００８】
本発明によれば、歯科用インプラントをスムーズに抜去できるという効果がある。
【図面の簡単な説明】
【０００９】
【図１】本発明の一実施形態に係る歯科用インプラント抜去器具を示す概略説明図である。
【図２】図１に示す歯科用インプラント抜去器具が備える第１ピンおよび第２ピンをそれぞれフィクスチャーに取り付けた状態を示す図であり、（ａ）は第１ピンをフィクスチャーに取り付けた状態を示す概略説明図、（ｂ）は第２ピンをフィクスチャーに取り付けた状態を示す概略説明図である。
【図３】図１に示す歯科用インプラント抜去器具が備える角度補正部材を示す図であり、（ａ）は平面図、（ｂ）は（ａ）のＡ−Ａ線断面図である。
【図４】図１に示す歯科用インプラント抜去器具が備える第１ピン、第２ピン、角度補正部材およびステントを示す概略説明図である。
【図５】本発明の一実施形態に係るフィクスチャーを示す図であり、（ａ）は側面図、（ｂ）は一部破断面図、（ｃ）は（ｂ）のＢ矢視拡大平面図である。
【図６】（ａ）〜（ｃ）は、本発明の一実施形態に係る歯科用インプラント抜去方法を示す概略説明図である。
【図７】（ｄ）〜（ｆ）は、本発明の一実施形態に係る歯科用インプラント抜去方法を示す概略説明図である。
【図８】本発明の他の実施形態に係る歯科用インプラント抜去器具を示す概略説明図であり、図６（ｃ）に相当する図である。
【発明を実施するための形態】
【００１０】
＜歯科用インプラント抜去器具＞
以下、本発明の一実施形態に係る歯科用インプラント抜去器具について、歯科用インプラントがフィクスチャーである場合を例にとって、図１〜図５を参照して詳細に説明する。
【００１１】
図１に示すように、本実施形態の歯科用インプラント抜去器具１０は、フィクスチャー１００を歯槽骨１１０から抜去する器具である。本実施形態のフィクスチャー１００は、図５に示すように、その後端部１００ｂに位置している凹部１０１を有する。凹部１０１は、フィクスチャー１００の先端部１００ａ側から順に雌ネジ部１０２および被嵌合部１０３を有する。
【００１２】
雌ネジ部１０２は、いわゆるネジ孔であり、アバットメントスクリューが螺合する部位である。アバットメントスクリューとは、フィクスチャー１００にアバットメントを固定する部材である。アバットメントとは、フィクスチャー１００に人工歯を連結する部材である。
【００１３】
雌ネジ部１０２は、その中心軸Ｏ１０２がフィクスチャー１００の中心軸Ｏ上に位置している。このような構成によれば、図２（ａ）に示すように、雌ネジ部１０２に後述する第１ピン１の雄ネジ部１１を螺合したとき、第１ピン１の回転軸Ｓ１がフィクスチャー１００の中心軸Ｏと同一直線上になる。
【００１４】
なお、フィクスチャー１００の中心軸Ｏとは、図５に示すように、フィクスチャー１００の先端部１００ａおよび後端部１００ｂを貫く軸であり、フィクスチャー１００を回転させたときに回転軸となる軸を意味するものとする。雌ネジ部１０２の中心軸Ｏ１０２とは、フィクスチャー１００の中心軸Ｏに沿う方向における雌ネジ部１０２の両端部を貫く軸であり、雌ネジ部１０２を回転させたときに回転軸となる軸を意味するものとする。
【００１５】
一方、被嵌合部１０３は、上述したアバットメントが嵌合し、アバットメントがフィクスチャー１００に対して回旋するのを防止する略筒状の部位である。被嵌合部１０３の形状は、特に限定されるものではなく、例えば、六角筒状、八角筒状などの多角筒状であってもよいし、いわゆるヘックスローブ状などであってもよい。本実施形態の被嵌合部１０３の形状は、六角筒状である。
【００１６】
被嵌合部１０３は、上述した雌ネジ部１０２と同様に、その中心軸Ｏ１０３がフィクスチャー１００の中心軸Ｏ上に位置している。このような構成によれば、図２（ｂ）に示すように、被嵌合部１０３に後述する第２ピン２の嵌合部２１を嵌合したとき、第２ピン２の回転軸Ｓ２がフィクスチャー１００の中心軸Ｏと同一直線上になる。なお、被嵌合部１０３の中心軸Ｏ１０３とは、フィクスチャー１００の中心軸Ｏに沿う方向における被嵌合部１０３の両端部を貫く軸であり、被嵌合部１０３を回転させたときに回転軸となる軸を意味するものとする。
【００１７】
図１に示すように、フィクスチャー１００は、その外周部にネジ部１０４を有しており、歯科インプラント埋植手術において歯槽骨１１０にセルフタップで螺入しつつ埋入される。本実施形態の歯科用インプラント抜去器具１０は、このようなフィクスチャー１００を歯槽骨１１０から抜去するものであって、第１ピン１と、第２ピン２と、角度補正部材３と、ステント４と、固定手段５を備えている。以下、本実施形態の歯科用インプラント抜去器具１０の各構成部材について、順に説明する。
【００１８】
（第１ピン）
第１ピン１は、フィクスチャー１００の軸出しを行う部材であり、後述するステント４の載置部４３において角度補正部材３の角度を特定の角度に調整するときに使用する部材である。本実施形態の第１ピン１は、いわゆるスクリューピンであり、その先端部１ａに雄ネジ部１１を有する。雄ネジ部１１は、図２（ａ）に示すように、上述したフィクスチャー１００の雌ネジ部１０２に螺合可能に構成されている。
【００１９】
また、本実施形態の第１ピン１は、図１に示すように、雄ネジ部１１よりも第１ピン１の後端部１ｂ側に位置している円柱状の第１本体部１２をさらに有する。本実施形態では、第１本体部１２が雄ネジ部１１に連続している。なお、第１本体部１２と雄ネジ部１１との間には、第１ピン１を構成する他の部位が存在していてもよい。
【００２０】
第１ピン１の構成材料としては、例えば、ステンレス鋼（ＳＵＳ）、チタン合金、コバルト−クロム合金などが挙げられるが、これらに限定されるものではない。第１ピン１は、下記で説明する第２ピン２よりも強度が要求されないことから、第２ピン２よりも低強度の材料で構成することができる。このような構成によれば、第１ピン１を比較的安価な材料で構成できることから、コストを削減することができる。また、第１ピン１の表面には、例えば、陽極酸化処理、レーザによる酸化被膜形成などの金属表面へのコーティング処理を行ってもよい。特に、第１ピン１の表面が第２ピン２の表面と異なる色になるようにコーティング処理を行えば、第１ピン１および第２ピン２を明確に区別できるようになり、両者の誤認を抑制することができる。
【００２１】
（第２ピン）
第２ピン２は、その回転力をフィクスチャー１００に加えることによって、フィクスチャー１００を歯槽骨１１０から抜去するときに使用する部材である。図１に示すように、本実施形態の第２ピン２は、その先端部２ａに嵌合部２１を有する。嵌合部２１は、図２（ｂ）に示すように、上述したフィクスチャー１００の被嵌合部１０３に嵌合可能に構成されている。本実施形態では、上述のとおり、フィクスチャー１００の被嵌合部１０３の形状が六角筒状であることから、第２ピン２の嵌合部２１の形状は六角柱状である。
【００２２】
また、本実施形態の第２ピン２は、図１に示すように、嵌合部２１よりも第２ピン２の後端部２ｂ側に位置している円柱状の第２本体部２２をさらに有する。本実施形態では、第２本体部２２が嵌合部２１に連続している。なお、第２本体部２２と嵌合部２１との間には、第２ピン２を構成する他の部位が存在していてもよい。
【００２３】
第２ピン２の構成材料としては、例えば、ＳＵＳ、チタン合金、コバルト−クロム合金などが挙げられるが、これらに限定されるものではない。例示した構成材料のうちコバルト−クロム合金を採用すると、第２ピン２の強度が向上することから、フィクスチャー１００を抜去するときに第２ピン２が変形または破損するのを抑制することができる。また、第２ピン２の表面には、第１ピン１と同様に、例えば、陽極酸化処理、レーザによる酸化被膜形成などの金属表面へのコーティング処理を行ってもよい。
【００２４】
（角度補正部材）
図３に示すように、角度補正部材３は、挿通孔３３を有する略板状の部材である。また、角度補正部材３は、後述する図６（ｂ）に示すように、フィクスチャー１００の雌ネジ部１０２に雄ネジ部１１を螺合している第１ピン１を挿通孔３３に挿通することによって、その角度が調整されて、後述する図７（ｅ）に示すように、第２ピン２の回転軸Ｓ２がフィクスチャー１００の中心軸Ｏと同一直線上に位置するように、第２ピン２の角度を補正する部材として機能する。
【００２５】
図３（ｂ）に示すように、角度補正部材３の高さＨは、２ｍｍ以上であるのが好ましい。このような構成によれば、第２ピン２の角度を正確に補正することができる。なお、角度補正部材３の高さＨの上限値としては、５ｍｍ以下であるのが好ましいが、これに限定されるものではない。
【００２６】
挿通孔３３は、角度補正部材３を高さＨ方向に貫通しており、第１ピン１および第２ピン２のそれぞれを挿通可能に構成されている。本実施形態の挿通孔３３は、角度補正部材３の上面３１および下面３２のそれぞれの中央部に位置している。
【００２７】
ここで、後述する図６（ｃ）に示すように、挿通孔３３に第１ピン１を挿通したとき、第１ピン１と挿通孔３３との間の間隔が、０．０５ｍｍ以下であるのが好ましい。また、後述する図７（ｅ）に示すように、挿通孔３３に第２ピン２を挿通したとき、第２ピン２と挿通孔３３との間の間隔が、０．０５ｍｍ以下であるのが好ましい。言い換えれば、図４に示すように、式：（挿通孔３３の内径Ｄ３ａ）−（第１ピン１の外径Ｄ１）から算出される値が、０．０５ｍｍ以下であるのが好ましい。同様に、式：（挿通孔３３の内径Ｄ３ａ）−（第２ピン２の外径Ｄ２）から算出される値が、０．０５ｍｍ以下であるのが好ましい。これらの構成によれば、第１ピン１を挿通孔３３に挿通したとき、第１ピン１が挿通孔３３内でがたつくのを抑制することができる。また、第２ピン２を挿通孔３３に挿通したとき、第２ピン２が挿通孔３３内でがたつくのを抑制することができる。
【００２８】
なお、本実施形態では、挿通孔３３の設計を容易にする観点から、第１ピン１の外径Ｄ１と第２ピン２の外径Ｄ２とが、同一である。第１ピン１の外径Ｄ１と第２ピン２の外径Ｄ２とが同一であるとは、外径Ｄ１、Ｄ２が実質的に同一であればよい。第１ピン１の外径Ｄ１とは、回転軸Ｓ１に垂直な方向における第１ピン１の最大寸法のことを意味するものとする。第２ピン２の外径Ｄ２についても、第１ピン１の外径Ｄ１と同様に規定される。本実施形態では、第１ピン１は第１本体部１２に最大寸法を有し、第２ピン２は第２本体部２２に最大寸法を有する。なお、第１ピン１は、雄ネジ部１１に最大寸法を有していてもよいし、雄ネジ部１１および第１本体部１２の両者に最大寸法を有していてもよい。同様に、第２ピン２は、嵌合部２１に最大寸法を有していてもよいし、嵌合部２１および第２本体部２２の両者に最大寸法を有していてもよい。また、必要に応じて、第１ピン１の外径Ｄ１と第２ピン２の外径Ｄ２とが異なるようにしてもよい。
【００２９】
挿通孔３３に第１ピン１を挿通したときの第１ピン１と挿通孔３３との間の間隔の下限値としては、０．００５ｍｍ以上であるのが好ましい。同様に、挿通孔３３に第２ピン２を挿通したときの第２ピン２と挿通孔３３との間の間隔の下限値としては、０．００５ｍｍ以上であるのが好ましい。これらの構成によれば、第１ピン１が、その回転軸Ｓ１を基準として挿通孔３３内でスムーズに回転することができる。また、第２ピン２も、その回転軸Ｓ２を基準として挿通孔３３内でスムーズに回転することができる。
【００３０】
なお、本実施形態の角度補正部材３は、図３（ａ）に示すように、平面視したときの形状が略円環状であるが、これに限定されるものではない。平面視したときの角度補正部材３の形状は、その効果を奏する限り、例えば略四角形環状などの他の形状を採用することができる。
【００３１】
角度補正部材３の構成材料としては、例えば、ＳＵＳ、チタン合金、コバルト−クロム合金などが挙げられるが、これらに限定されるものではない。
【００３２】
（ステント）
図１に示すように、ステント４は、フィクスチャー１００に隣接している患者の歯、すなわち患者の隣在歯１１１に取り付けられる略板状の部材である。ステント４は、上面４１、下面４２、載置部４３、貫通孔４４および係止部４５を有する。
【００３３】
図４に示すように、載置部４３は、上面４１に位置しており、角度補正部材３の外径Ｄ３ｂよりも大きな内径Ｄ４３を有する凹状の部位である。また、貫通孔４４は、載置部４３の底部４３１から下面４２まで貫通しており、角度補正部材３の外径Ｄ３ｂよりも小さな内径Ｄ４４を有する。これらの構成によれば、角度補正部材３の外径Ｄ３ｂ、載置部４３の内径Ｄ４３、および貫通孔４４の内径Ｄ４４が、Ｄ４３＞Ｄ３ｂ＞Ｄ４４の関係を有することから、載置部４３に角度補正部材３を載置することが可能となる。なお、角度補正部材３の外径Ｄ３ｂとは、角度補正部材３を平面視したときの角度補正部材３の最大寸法のことを意味するものとする。
【００３４】
貫通孔４４は、第１ピン１および第２ピン２のそれぞれを挿通可能に構成されている。このような構成によれば、第１ピン１および第２ピン２をそれぞれ貫通孔４４に挿通し、その先端部１ａ、２ａを下面４２から露出させることができる。
【００３５】
貫通孔４４の内径Ｄ４４は、第１ピン１の外径Ｄ１の１．５〜５．０倍であるのが好ましい。このような構成によれば、貫通孔４４の内径Ｄ４４が第１ピン１の外径Ｄ１よりも適度に大きくなって、貫通孔４４の直上ないし斜め方向から第１ピン１を貫通孔４４に挿通することが可能となる。それゆえ、後述する図６（ａ）に示すように、貫通孔４４に第１ピン１を挿通して、第１ピン１の雄ネジ部１１をフィクスチャー１００の雌ネジ部１０２に螺合するときの作業性を向上させることができる。
【００３６】
図１に示すように、係止部４５は下面４２から延びている部位であり、隣在歯１１１に係止可能に構成されている。したがって、ステント４は、係止部４５を隣在歯１１１に係止させることによって隣在歯１１１に取り付けられる。本実施形態の係止部４５は、貫通孔４４を挟んで互いに対向するように位置している第１係止部４５１および第２係止部４５２を有する。そして、第１係止部４５１および第２係止部４５２はいずれも、下面４２の縁部近傍から下方に向かって延びている。
【００３７】
上述した構成を有するステント４は、例えば、一般的な歯間寸法で構成してもよいし、事前に患者の口腔内の印象を取ったもので構成してもよいし、スキャンしたデータを使用してＣＡＤ−ＣＡＭまたは積層造形法などで作製してもよい。
【００３８】
ステント４の構成材料としては、例えば、ＳＵＳ、チタン合金、レジン（樹脂）などが挙げられ、レジンとしては、例えば、ポリメチルメタクリレート（ＰＭＭＡ）などのアクリル樹脂、テフロン（登録商標）などが挙げられるが、これらに限定されるものではない。
【００３９】
（固定手段）
図１に示すように、固定手段５は、角度補正部材３を載置部４３に特定の角度で固定するものである。固定手段５としては、例えば、セメント、レジンなどの歯科用レジンが挙げられる。セメントは、デュアルキュア型であってもよいし、光重合型であってもよい。レジンとしては、例えば、ＰＭＭＡなどのアクリル樹脂などが挙げられる。
【００４０】
ここで、上述した各構成部材を備える本実施形態の歯科用インプラント抜去器具１０では、図１および後述する図６（ｃ）に示すように、第１ピン１を角度補正部材３の挿通孔３３に挿通したとき、第１ピン１の回転軸Ｓ１がフィクスチャー１００の中心軸Ｏと同一直線上に位置する角度で、角度補正部材３を固定手段５によって載置部４３に固定する。また、図１および後述する図７（ｅ）に示すように、第２ピン２を角度補正部材３の挿通孔３３に挿通したとき、第２ピン２の回転軸Ｓ２がフィクスチャー１００の中心軸Ｏと同一直線上に位置する角度で、角度補正部材３を固定手段５によって載置部４３に固定する。これらの構成によれば、後述の歯科用インプラント抜去方法で詳細に説明するように、フィクスチャー１００を抜去するときに発生するトルクを少なくしてフィクスチャー１００の被嵌合部１０３が変形または破損するのを抑制することができる。また、フィクスチャー１００を、その中心軸Ｏ方向に沿って抜去できることから、フィクスチャー１００の周囲組織が損傷するのを抑制しつつ、フィクスチャー１００をスムーズに歯槽骨１１０から抜去することができる。
【００４１】
＜歯科用インプラント抜去方法＞
次に、本発明の一実施形態に係る歯科用インプラント抜去方法について、上述した歯科用インプラント抜去器具１０を使用して、フィクスチャー１００を歯槽骨１１０から抜去する場合を例にとって、図６および図７を参照して詳細に説明する。なお、図６および図７においては、上述した図１〜図５と同一の構成部分には同一の符号を付して説明は省略する場合がある。
【００４２】
まず、図６（ａ）に示すように、ステント４の係止部４５を隣在歯１１１に係止させてステント４を隣在歯１１１に取り付ける。次に、第１ピン１を使用して、フィクスチャー１００の軸出しを行う。具体的には、第１ピン１を、ステント４の貫通孔４４に挿通し、その先端部１ａをステント４の下面４２から露出させて、第１ピン１の雄ネジ部１１をフィクスチャー１００の雌ネジ部１０２に螺合する。これにより、第１ピン１の回転軸Ｓ１がフィクスチャー１００の中心軸Ｏと同一直線上になる。なお、第１ピン１を使用することなく第２ピン２を使用してフィクスチャー１００の軸出しを行う場合には、第２ピン２の嵌合部２１をフィクスチャー１００の被嵌合部１０３に嵌合してフィクスチャー１００の軸出しを行うことになるが、嵌合によって軸出しを正確に行うのは困難である。本実施形態では、第１ピン１の雄ネジ部１１をフィクスチャー１００の雌ネジ部１０２に螺合することによってフィクスチャー１００の軸出しを行う構成であるため、軸出しを正確に行うことが可能となる。
【００４３】
次に、図６（ｂ）に示すように、角度補正部材３を、その挿通孔３３に第１ピン１を挿通させつつステント４の載置部４３に載置する。これにより、第１ピン１の回転軸Ｓ１がフィクスチャー１００の中心軸Ｏと同一直線上に位置する角度で、角度補正部材３が載置部４３に載置される。
【００４４】
そして、図６（ｃ）に示すように、この状態の角度補正部材３を固定手段５によって固定する。これにより、第１ピン１の回転軸Ｓ１がフィクスチャー１００の中心軸Ｏと同一直線上に位置する角度で、角度補正部材３が載置部４３に固定される。言い換えれば、第１ピン１を角度補正部材３の挿通孔３３に挿通したとき、より具体的には、第１ピン１を角度補正部材３の挿通孔３３に挿通して第１ピン１の雄ネジ部１１をフィクスチャー１００の雌ネジ部１０２に螺合したとき、第１ピン１の回転軸Ｓ１がフィクスチャー１００の中心軸Ｏと同一直線上に位置する角度で、角度補正部材３が固定手段５によって載置部４３に固定される。
【００４５】
次に、雄ネジ部１１と雌ネジ部１０２の螺合状態を解除し、図７（ｄ）に示すように、第１ピン１をステント４の貫通孔４４、角度補正部材３の挿通孔３３の順に抜き出す。そして、第１ピン１に代えて第２ピン２を、角度補正部材３の挿通孔３３に挿通する。このとき、第１ピン１の回転軸Ｓ１がフィクスチャー１００の中心軸Ｏと同一直線上に位置する角度で、角度補正部材３が載置部４３に固定されていることから、第２ピン２を角度補正部材３の挿通孔３３に挿通すると、第２ピン２の回転軸Ｓ２もフィクスチャー１００の中心軸Ｏと同一直線上になる。言い換えれば、第２ピン２を角度補正部材３の挿通孔３３に挿通したとき、より具体的には、第２ピン２を角度補正部材３の挿通孔３３に挿通して第２ピン２の嵌合部２１をフィクスチャー１００の被嵌合部１０３に嵌合したとき、第２ピン２の回転軸Ｓ２がフィクスチャー１００の中心軸Ｏと同一直線上に位置する角度で、角度補正部材３が固定手段５によって載置部４３に固定されている。したがって、図７（ｅ）に示すように、第２ピン２を角度補正部材３の挿通孔３３、ステント４の貫通孔４４の順に挿通し、その先端部２ａをステント４の下面４２から露出させて、第２ピン２の嵌合部２１をフィクスチャー１００の被嵌合部１０３に嵌合すると、第２ピン２の回転軸Ｓ２がフィクスチャー１００の中心軸Ｏと同一直線上になる。
【００４６】
そして、図７（ｆ）に示すように、第２ピン２を、その回転軸Ｓ２を基準として矢印Ｃ方向に回転させて、フィクスチャー１００を歯槽骨１１０から抜去する。このとき、本実施形態によれば、第２ピン２の回転軸Ｓ２がフィクスチャー１００の中心軸Ｏと同一直線上に位置していることによって、第２ピン２の回転力が確実にフィクスチャー１００に加わることから、フィクスチャー１００を抜去するときに発生するトルクを少なくすることができ、結果としてフィクスチャー１００の被嵌合部１０３が変形または破損するのを抑制することができる。また、フィクスチャー１００を、その中心軸Ｏ方向に沿う矢印Ｄ方向に沿って抜去できることから、フィクスチャー１００の周囲組織が損傷するのを抑制しつつ、フィクスチャー１００をスムーズに歯槽骨１１０から抜去することができる。
【００４７】
なお、本実施形態では、フィクスチャー１００を歯槽骨１１０から抜去するとき、第２ピン２を反時計回りである矢印Ｃ方向に回転させるが、これに限定されるものではない。すなわち、第２ピン２の回転方向は、フィクスチャー１００の締め付けを緩める方向であればよい。また、フィクスチャー１００を歯科用インプラント抜去器具１０によって抜去するときの順序は、フィクスチャー１００を抜去できる限り、上述した順序に限定されるものではなく、適宜変更することができる。
【００４８】
以上、本発明に係る好ましい実施形態について例示したが、本発明は上述した実施形態に限定されるものではなく、本発明の要旨を逸脱しない限り任意のものとすることができることは言うまでもない。
【００４９】
例えば、上述した実施形態では、歯科用インプラントがフィクスチャー１００である場合を例に挙げて説明したが、本実施形態の歯科用インプラント抜去器具１０は、フィクスチャー１００以外の他の歯科用インプラントについても同様に使用することができる。フィクスチャー１００以外の他の歯科用インプラントとしては、例えば、アバットメントスクリュー、カバーキャップ、ヒーリングキャップなどが挙げられる。
【００５０】
また、上述した実施形態では、本実施形態の歯科用インプラント抜去器具１０を使用してフィクスチャー１００を歯槽骨１１０から抜去する場合を例に挙げて説明したが、本実施形態の歯科用インプラント抜去器具１０は、フィクスチャー１００を歯槽骨１１０に埋入するときにも使用することができる。
【００５１】
また、上述した実施形態では、ステント４の係止部４５が第１係止部４５１および第２係止部４５２を有する構成について説明したが、これに代えて、図８に示す構成にすることができる。すなわち、図８に示す歯科用インプラント抜去器具１０’では、ステント４’の係止部４６が、下面４２のうち貫通孔４４の開口部近傍から下方に向かって筒状に延びている。より具体的に説明すると、本実施形態の係止部４６は、貫通孔４４の内周面に連続しており、円筒状に構成されている。このような構成によっても、係止部４６を隣在歯１１１に係止させてステント４’を隣在歯１１１に取り付けることができる。なお、係止部４６は、隣在歯１１１に係止可能な限り、貫通孔４４の内周面に連続していなくてもよく、円筒状以外の他の筒状で構成してもよい。
その他の構成は、上述した一実施形態に係る歯科用インプラント抜去器具１０と同様であるので、説明を省略する。
【００５２】
また、上述した実施形態において、歯科用インプラント抜去器具１０がドライバーをさらに備えていてもよい。ドライバーは、第１ピン１および第２ピン２のそれぞれを回転させる部材である。ドライバーは、コントラヘッドを取り付けることができる電動式あってもよい。
【００５３】
また、上述した実施形態では、角度補正部材３とステント４を別々の部材で構成しているが、角度補正部材３とステント４を一体に成形してもよい。このような構成によれば、歯科用インプラント抜去器具１０の構成部材の数を少なくできることから、コストを削減することができる。角度補正部材３とステント４を一体に成形する場合には、第１ピン１の回転軸Ｓ１が、フィクスチャー１００の中心軸Ｏと同一直線上に位置する角度で、第１ピン１を角度補正部材３の挿通孔３３内に固定すればよい。第１ピン１の挿通孔３３内の固定には、固定手段５を使用することができるが、これに限定されるものではない。固定手段５で第１ピン１を挿通孔３３内に固定すると、第１ピン１を挿通孔３３から抜き出したとき、固定手段５によって構成される孔が挿通孔３３内に形成される。そして、この孔に第２ピン２を挿通することによって、上述した一実施形態に係る歯科用インプラント抜去器具１０と同様の効果を得ることができる。
【符号の説明】
【００５４】
１０  歯科用インプラント抜去器具
１  第１ピン
１ａ  先端部
１ｂ  後端部
１１  雄ネジ部
１２  第１本体部
Ｓ１  回転軸
Ｄ１  外径
２  第２ピン
２ａ  先端部
２ｂ  後端部
２１  嵌合部
２２  第２本体部
Ｓ２  回転軸
Ｄ２  外径
３  角度補正部材
３１  上面
３２  下面
３３  挿通孔
Ｄ３ａ  内径
Ｄ３ｂ  外径
Ｈ  高さ
４  ステント
４１  上面
４２  下面
４３  載置部
４３１  底部
Ｄ４３  内径
４４  貫通孔
Ｄ４４  内径
４５  係止部
４５１  第１係止部
４５２  第２係止部
５  固定手段
１００  フィクスチャー
１００ａ  先端部
１００ｂ  後端部
Ｏ  中心軸
１０１  凹部
１０２  雌ネジ部
Ｏ１０２  中心軸
１０３  被嵌合部
Ｏ１０３  中心軸
１０４  ネジ部
１１０  歯槽骨
１１１  隣在歯
【図１】
0006411234.tif 000002
【図２】
0006411234.tif 000003
【図３】
0006411234.tif 000004
【図４】
0006411234.tif 000005
【図５】
0006411234.tif 000006
【図６】
0006411234.tif 000007
【図７】
0006411234.tif 000008
【図８】
0006411234.tif 000009